(57)【要約】【課題】イコライザの変更や後付けなどを簡単かつ容易に行なうことができ、しかも構造も簡単なスピーカ装置を提供する。【解決手段】少なくとも一つのスピーカユニット２と、このスピーカユニット２を保持するバッフル板３と、このバッフル板３を固定するキャビネット４と、前記スピーカユニット２の前面部を被覆するグリル部材５とから構成されるものであって、前記スピーカユニット２の振動板２２と相対するグリル部材５の裏面部にイコライザ６を設けてスピーカ装置１とする。【選択図】        図１
2004153488.tif 000002
【特許請求の範囲】
【請求項１】
少なくとも一つのスピーカユニットと、このスピーカユニットを保持するバッフル板と、このバッフル板を固定するキャビネットと、前記スピーカユニットの前面部を被覆するグリル部材とから構成されるものであって、
前記スピーカユニットの振動板と相対するグリル部材の裏面部に、イコライザを設けたこと
を特徴とするスピーカ装置。
【請求項２】
前記バッフル板は、
キャビネットと一体化されたものであること
を特徴とする請求項１に記載のスピーカ装置。
【請求項３】
前記バッフル板は、
前面部が開口されたキャビネットの、前記開口部に着脱自在に取付け可能なものであること
を特徴とする請求項１に記載のスピーカ装置。
【請求項４】
前記イコライザは、
グリル部材の裏面部に、取替え可能に取付けられていること
を特徴とする請求項１に記載のスピーカ装置。
【発明の詳細な説明】
【０００１】
【発明の属する技術分野】
この発明は、各種音響機器に使用されるスピーカ装置、詳しくは、指向特性や高音特性を改善するイコライザを有するスピーカ装置に関するものである。
【０００２】
【従来の技術】
低音用の比較的口径の大きなスピーカの指向性を改善する手段として、あるいはツィータなどの高音特性を平坦にする手段として、振動板の前面側にイコライザを設けることは、例えば、特開昭６２−１１０３９５号公報（特許文献１）、特開２０００−２３２７１公報（特許文献２）、実開昭６１−３７６８６号公報（特許文献３）、実開昭６２−１７１２９３号公報（特許文献４）などによって周知である。
【０００３】
【特許文献１】
特開昭６２−１１０３９５号公報（特許請求の範囲１、第１図、第７図）
【特許文献２】
特開２０００−２３２７１公報（図２（ｂ））
【特許文献３】
実開昭６１−  ３７６８６号公報（実用新案登録請求の範囲、第１図）
【特許文献４】
実開昭６２−１７１２９３号公報（第１図（ロ））
【０００４】
【発明が解決しようとする課題】
しかしながら、前記特許文献に記載のイコライザは、基本的にスピーカボックス又はスピーカユニットに取付ける方式のもので、特許文献１においては、キャビネットのスピーカ放音部の前方に、イコライザ保持台を付設するため、キャビネット自体の寸法が大きくならざるを得ず、特許文献３のスピーカユニットにおいては、スピーカユニットを装着するフレームにイコライザを回動自在に設ける方式が採用されているが、いずれの場合にも、イコライザの取付け位置が固定されるので、スピーカ装置の設計上の自由度が殆んどなく、使用するイコライザの変更あるいは後付けなどは行なうことができないという、実用上解決すべき多くの課題を有していた。
【０００５】
この発明はかかる現状に鑑み、イコライザの変更や後付けなどを簡単かつ容易に行なうことができ、しかも構造も簡単なスピーカ装置を提供することを目的とするものである。
【０００６】
【課題を解決するための手段】
前記の目的を達成するため、この発明の請求項１に記載の発明は、
少なくとも一つのスピーカユニットと、このスピーカユニットを保持するバッフル板と、このバッフル板を固定するキャビネットと、前記スピーカユニットの前面部を被覆するグリル部材とから構成されるものであって、
前記スピーカユニットの振動板と相対するグリル部材の裏面部に、イコライザを設けたこと
を特徴とするスピーカ装置である。
【０００７】
また、この発明の請求項２に記載の発明は、
請求項１に記載のスピーカ装置において、
前記バッフル板は、
キャビネットと一体化されたものであること
を特徴とするものである。
【０００８】
また、この発明の請求項３に記載の発明は、
請求項１に記載のスピーカ装置において、
前記バッフル板は、
前面部が開口されたキャビネットの、前記開口部に着脱自在に取付け可能なものであること
を特徴とするものである。
【０００９】
また、この発明の請求項４に記載の発明は、
請求項１に記載のスピーカ装置において、
前記イコライザは、
グリル部材の裏面部に、取替え可能に取付けられていること
を特徴とするものである。
【００１０】
【発明の実施の形態】
以下、この発明に係るスピーカ装置の好ましい実施の形態を、添付の図面を参照して説明するが、この発明は、スピーカユニットの前面部を覆うグリル部材にイコライザを設けるという要旨を逸脱しない範囲で、種々変更を加えることができるものである。
【００１１】
この発明のスピーカ装置１は、図１から明らかなように、一つのスピーカユニット２と、このスピーカユニット２を保持するバッフル板３と、このバッフル板３を固定するキャビネット４と、前記スピーカユニット２の前面部を被覆するグリル部材５および、前記グリル部材５の裏面部に取付けられるイコライザ６とから構成されるものである。
【００１２】
前記スピーカユニット２は、具体的には、図示しないヨーク、マグネット、トッププレートからなる磁気回路部２１と、この磁気回路部２１とコーン型の振動板２２を一体的に連結するフレーム２３から構成されたもので、このスピーカユニット２を構成するフレーム２３の四隅には、それぞれ取付孔２４がフレーム２３を貫通して形成されている。
【００１３】
キャビネット４は、たとえば合成樹脂にて、上下方向に長手方向を有し、前面部を開口した矩形状に形成されているもので、このキャビネット４の幅寸法は、スピーカユニット２のフレーム２３の幅寸法よりも若干大きく形成され、このキャビネット４の前面開口は、正面視で略矩形状に形成され、背面部には、外部の信号源に接続するためのケーブル４１の接続端子４２が顕出している。
【００１４】
バッフル板３は、キャビネット４と同様に、合成樹脂でキャビネット４の開口部の外形に略沿った略矩形板状に形成されたもので、このバッフル板３の上側には、バッフル板３の厚さ方向に貫通した略円形状の放音孔３１が形成されたものである。
【００１５】
また、バッフル板３の裏面における放音孔３１の外周縁部の４隅には、前記スピーカユニット２を取付けるためのネジ挿通部３２が突設されるとともに、その外側に４つの軸受け３３がそれぞれ一体的に形成されたものである。
【００１６】
前記グリル部材５は、ポリスチレンなどの合成樹脂にて略矩形状で、かつメッシュ状に形成されたもので、その裏面には、前記バッフル板３に形成された４つのボス受け３３に相対させて、外周部に軸方向にローレットが形成された４つのボス５１が一体的に形成されたものである。
【００１７】
なお、グリル部材５の前面には、グリル部材５よりもさらに細かいメッシュ状に形成された伸縮性を有する素材からなるスクリーン（図示せず）が、グリル部材５の外周に沿って、たとえば熱圧着などにて取付けられている。
【００１８】
イコライザ６は、スピーカユニット２の振動板２２の前面に位置するグリル部材５の裏面部に装着されるもので、非磁性体からなるものであれば、プラスチック、フェルト、金属などその材質にはなんら制限はなく、また、その形状も、図示のように円形、楕円形を含むリング状、円錐形状など、指向性及び／又は高音特性などが改善可能な形状であれば特段の制限はない。
【００１９】
このイコライザ６のグリル部材５への装着手段は特段の制限はないもので、接着剤等による固着方式であってもよいが、例えば両面テープによる固定、グリル部材５又はイコライザ６のいずれか一方に係合用のピンを、他方に係合用のボスをそれぞれ一体的に形成し、取替えが可能なように着脱自在にすることが好ましい。
【００２０】
なお、イコライザ６のグリル部材５への装着は、スピーカ装置１の出荷時に行なわれていることが好ましいが、使用者の選択に委ねられるように、アクセサリーの一つとしてパッケージに梱包し、後付けができるようにすることも可能である。
【００２１】
その際、スピーカユニット２を構成する振動板２２と相対するグリル部材５の裏面部に、あらかじめイコライザ６の取付け部（図示せず）を形成しておき、ワンタッチで所望のイコライザを装着できるようにすることが好ましい。
【００２２】
かかる構成からなるスピーカ装置１の組立ては、スピーカユニット２の取付孔２４とバッフル板３のネジ挿通部３２を一致させ、ネジを使用してスピーカユニット２をバッフル板３に固着し、ついでスピーカユニット２とケーブル４１を電気的に接続したのち、バッフル板３をキャビネット４の前面開口部に嵌め込みあるいはネジ止め、接着などの手段によって固着する。
【００２３】
しかるのち、例えば図示のようなリング状のイコライザ６を、両面テープを使用して、スピーカユニット２の放音部と相対する裏面部に貼着固定したグリル部材５の、各ボス５１，５１・・・をバッフル板３のボス受け３３，３３・・・内に挿入固着してスピーカ装置１とするものである。
【００２４】
したがって、イコライザ６を交換したい場合には、バッフル板３からグリル部材５を取外し、イコライザ６をグリル部材５から曳き外せば、簡単にイコライザ６をグリル部材５から取外し、新たなイコライザをグリル部材５に装着することができる。
【００２５】
【発明の効果】
この発明のスピーカ装置は、バッフル板に固着されたスピーカユニットの振動板と相対するグリル部材の裏面に、イコライザを装着可能としたので、エンクロージャーやスピーカユニットにイコライザを取付けていた従来のスピーカ装置に比較し、スピーカ装置へのイコライザの装着がきわめて簡単かつ容易で、スピーカ装置の生産性を大幅に向上させることができる。
【００２６】
特に、この発明のスピーカ装置においては、グリル部材の裏面にイコライザを装着可能としたので、使用者が必要に応じて随時イコライザをスピーカ装置に取付けることができ、着脱自在とすることによって、イコライザの取替えも簡単に行なうことができるなど実用上優れた効果を奏するものである。
【図面の簡単な説明】
【図１】この発明にかかるスピーカ装置の一例を示す分解斜視図である。
【符号の説明】
１        スピーカ装置
２        スピーカユニット
３        バッフル板
４        キャビネット
５        グリル部材
６        イコライザ
【図１】
2004153488.tif 000003